(57)【特許請求の範囲】
【請求項１】
遊技領域に遊技球を打ち込む電動打球装置と、
該電動打球装置の打力を調節する打力調節装置と、を備えた弾球遊技機において、
前記電動打球装置は、
発射位置にある遊技球を打ち出す打球部材と、
該打球部材に打球動作を行わせる動力部材と、を有し、
前記打力調節装置は、
一定の軌道を往復動作可能なように固定的な支持部材に支持されると共に常には復動方向に付勢され、前記往復動作で前記電動打球装置の打力が変更されるように関連付けられている可動調節部材と、
前記支持部材に固定されていて棒を握る格好で掴み得る形態の支え棒と、を備えており、
さらに前記支え棒は、前記可動調節部材の軌道上又は該軌道に沿った位置に配置されると共に該可動調節部材を共握りすることなく片手で握り得るものであり且つ握った手が前記可動調節部材に対して前記復動方向の移動を妨げる向きに当接し得るものであり、そうして握った手をスライドさせる動作で前記可動調節部材を往復動作させ得るようにしたことを特徴とする弾球遊技機。
【発明の詳細な説明】
【技術分野】
【０００１】
本発明は、遊技領域に遊技球を打ち込んで遊技を行う弾球遊技機に関する。
【背景技術】
【０００２】
弾球遊技機の一例をパチンコ機について説明する。
周知のようにパチンコ機は、遊技者が遊技板の遊技領域に向けて遊技球（一般に「パチンコ球」という。）を発射させ、その遊技球が遊技領域の入賞口に入った場合に景品として複数個の遊技球を機前の球皿に放出し、一方、遊技球が入賞しなかった場合にその遊技球をアウト球として機裏に回収するものである。
【０００３】
パチンコ機には、遊技板の遊技領域に向けて遊技球を打ち込む電動打球装置と、該電動打球装置の打力の強弱を調節する打力調節装置と、が設けられている。前記電動打球装置は、発射レールに供給された遊技球を一個ずつ打ち出す揺動自在な打球部材と、該打球部材に打球動作を行わせる動力部材（例えば、電動モータと回転カムと牽引バネの周知の組み合わせやロータリーソレノイド等）で構成されており、一方、打力調節装置は、前記電動打球装置の動力部材を調節（例えば、前記牽引バネの張力の増減、或はロータリーソレノイドの電気抵抗値の増減）することで打球部材の打力を調節する。
【０００４】
前記打力調節装置は、一般的に、前枠の前面下方に固定された軸筒状の基台と、該基台を前後方向に貫いて前枠の前側から後側に至る回転自在な回転軸と、該回転軸の前端に固着されて回転往復動作可能な円板と、該円板の周側面に突設した指掛片状の可動調節部材と、前記基台の先端に固着されて前記円板部分を覆う碗状カバー体と、で概略構成され、前記電動打球装置の例えば牽引バネを伸縮させ、或は可変抵抗器の電気抵抗値を増減させる、というように前記可動調節部材の往復回転動作で打球部材の打力が変更されるように関連付けられている。
【０００５】
【特許文献１】特開平６−１８２０２９号公報
【発明の概要】
【発明が解決しようとする課題】
【０００６】
上記従来の打力調節装置は、右手を開いて碗状カバー体を覆い、そのまま碗状カバー体を鷲づかみの状態にして可動調節部材に親指を掛け、その右手の手首から先を捻りつつ可動調節部材を回動させ、そうして電動打球装置の打力を変更し、さらに碗状カバー体の握りを強くして可動調節部材を任意の位置で固定するようにしていたが、右手の手首を捻った窮屈な姿勢を長時間継続することにより疲労しやすい問題があった。
【０００７】
本発明は上記に鑑みなされたもので、その目的は、長時間の遊技にも疲れにくい打力調節装置を備えた弾球遊技機を提供することにある。
【課題を解決するための手段】
【０００８】
上記の目的を達成するため本発明は、
遊技領域に遊技球を打ち込む電動打球装置と、
該電動打球装置の打力を調節する打力調節装置と、を備えた弾球遊技機において、
前記電動打球装置は、
発射位置にある遊技球を打ち出す打球部材と、
該打球部材に打球動作を行わせる動力部材と、を有し、
前記打力調節装置は、
一定の軌道を往復動作可能なように固定的な支持部材に支持されると共に常には復動方向に付勢され、前記往復動作で前記電動打球装置の打力が変更されるように関連付けられている可動調節部材と、
前記支持部材に固定されていて棒を握る格好で掴み得る形態の支え棒と、を備えており、
さらに前記支え棒は、前記可動調節部材の軌道上又は該軌道に沿った位置に配置されると共に該可動調節部材を共握りすることなく片手で握り得るものであり且つ握った手が前記可動調節部材に対して前記復動方向の移動を妨げる向きに当接し得るものであり、そうして握った手をスライドさせる動作で前記可動調節部材を往復動作させ得るようにした弾球遊技機を提供する。
【発明の効果】
【０００９】
本発明の弾球遊技機の打力調節装置は、支え棒を握ってその手をスライドさせる動きで可動調節部材を往復動作させ、また、支え棒を握る動作で可動調節部材を任意の位置に留め置くことができるため、あたかも手摺りにつかまっているかのような楽な姿勢で遊技が行える。したがって長時間の遊技にも疲れを感じにくい。
【図面の簡単な説明】
【００１０】
【図１】要部を示す弾球遊技機の一部拡大正面図である。
【図２】弾球遊技機の正面図である。
【図３】弾球遊技機の要部を示す横断平面図である。
【図４】実施形態２を示すもので、要部を示す弾球遊技機の一部拡大正面図である。
【図５】実施形態３を示すもので、要部を示す弾球遊技機の一部拡大正面図である。
【図６】図５の作動状態を示す弾球遊技機の一部拡大正面図である。
【発明を実施するための形態】
【００１１】
［実施形態１］
以下に本発明の実施形態１を弾球遊技機の一例たるパチンコ機を例に図１〜図３を参照しつつ説明する。
【００１２】
［パチンコ機］
パチンコ機１は、図２に示したように、四角く枠組みされた外枠２と、該外枠２の前面に回動可能に取り付けられた前枠３と、を有する。
前枠３の正面には、ガラスや合成樹脂の透明板を装着した回動可能な窓部４と、その窓部４の下側に上球皿５と下球皿６を有する前面装飾部材７が取り付けられている。
また、前枠３には、前記窓部４の後方で該窓部４と対向する位置に遊技板８が着脱可能な状態に取り付けられている。そして、その遊技板８には、ガイドレール９で円形に囲われた遊技領域１０が形成されており、その遊技領域１０が前枠３の前記窓部４を透して遊技者から見えるようになっている。
さらにまた、前枠３の裏側には、遊技板８の下側であって該遊技板８の前面と面一の垂直面を構成するように発射基板（図示せず）が設けられており、該発射基板の前面に発射レール１１が固着されている。
【００１３】
パチンコ機１は、前記上球皿５にある遊技球を遊技者が遊技領域１０に打ち込み、その遊技球が遊技領域１０に設けられている入賞口１２に入ると、景品としての遊技球が複数個上球皿５に放出され、一方、入賞口１２に入賞しなかった遊技球がアウト球として機裏に排出（回収）されるようになっている。そのためパチンコ機１には、遊技板８の遊技領域１０に向けて遊技球を打ち込む電動打球装置１３と、該電動打球装置１３の打力の強弱を調節する打力調節装置１４が設けられている。
【００１４】
［電動打球装置］
電動打球装置１３は、図１、図３に示したように、前枠３の裏側下方に該前枠３の裏面との間に空間１５を設けて固着した金属製のベース基板１６と、図示しない球供給装置を介して上球皿５から発射レール１１の発射位置１１ｓに供給される遊技球を打ち出す打球部材１７と、該打球部材１７に打球動作を行わせる動力部材１８と、により概略構成される。
【００１５】
前記打球部材１７は、ベース基板１６に揺動軸１９で揺動自在に軸着され、その上端に発射レール１１の発射位置１１ｓに臨む弾性的なハンマー頭部１７ｈを有する。
一方、前記動力部材１８は、ベース基板１６の裏側（反・前枠３側の面）に固着された電動モータ２０と、ベース基板１６を貫いて前側（前枠３側の面）に突出する電動モータ２０の出力軸２１と、該出力軸２１の先端に固着されて定速回転により前記打球部材１７に係合・離脱する回転カム２２と、打球部材１７に連結されて該打球部材１７を打球方向に牽引する付勢手段たる牽引バネ２３と、から概略構成される。
【００１６】
以上の構成である電動打球装置１３について、動力部材１８の電動モータ２０を作動させると、先ず回転カム２２が回転し、その回転カム２２に係合して打球部材１７が牽引バネ２３を引き伸ばしつつ図１二点鎖線のように傾動し、回転カム２２のさらなる回転により該回転カム２２が打球部材１７から離脱し、回転カム２２による拘束から外れた打球部材１７が牽引バネ２３の付勢で瞬時に復動し、この動きで発射レール１１の発射位置１１ｓにある遊技球にハンマー頭部１７ｈが当たり、その衝撃で遊技球がガイドレール９に向けて打ち出される。
【００１７】
［打力調節装置］
打力調節装置１４は、図１、図３に示したように、前枠３の前面下方に一体成形された軸筒状の基台２４と、該基台２４の軸受孔を前後方向に貫いて前枠３の前側と後側とに突出する回転自在な回転軸２５と、該回転軸２５の前端に固着されて回転往復動作可能な円板２６と、該円板２６の周側面に突設された指掛片状の可動調節部材２７と、前記回転軸２５の後端に一体的に固着されたプーリ２８と、該プーリ２８と前記牽引バネ２３とを連結するワイヤー２９と、を有する。
【００１８】
この打力調節装置１４は、図１、図２に示したように前記前面装飾部材７の正面向かって右側に形成された打力操作部３０に配設されており、この打力操作部３０の段部３０ａから横向きに突設された正面視半円状のカバー部３０ｂに前記円板２６が配設され、さらに該カバー部３０ｂの周側面から前記可動調節部材２７が外部に突出している。
【００１９】
また、前面装飾部材７の打力操作部３０には可動調節部材２７の弧状の軌道に沿ってその外側を囲う状態に配置された支え棒３１が固定されている。この支え棒３１は、棒を握る格好で掴み得る太さの丸パイプで形成された半円形の手摺りスタイルであり、この支え棒３１の弧の中心が可動調節部材２７の軌道の中心、つまり回転軸２５の中心とほぼ一致する。また、支え棒３１は、可動調節部材２７の先端に近接した位置にあり、握った手（図１一点鎖線の楕円参照）の例えば親指が可動調節部材２７の上面に掛かるようになっている。したがって、握った手を支え棒３１に沿って下方にスライドさせると、その手の親指の動きに連れて可動調節部材２７が下向きに回動する。
【００２０】
なお、ここまでの説明で明らかなように前枠３と基台２４は、可動調節部材２７を支持する固定的な支持部材に相当し、また、前面装飾部材７は、支え棒３１を固定する固定的な支持部材に相当する。
【００２１】
以上の構成である打力調節装置１４は、可動調節部材２７が、円板２６と回転軸２５とプーリ２８とワイヤー２９を介して電動打球装置１３の牽引バネ２３と連結されており、したがって可動調節部材２７は、電動打球装置１３の牽引バネ２３によって復動方向に付勢された状態で図１実線の初期位置に停止している。
【００２２】
この状態で遊技者が遊技を行う場合は、図１一点鎖線の楕円で示した部分を右手で軽く握り、その握った手を支え棒３１に沿って下方にスライドさせる。そうすると、右手の親指に押されて可動調節部材２７が図１二点鎖線のように下向きに回転し、その回転が円板２６と回転軸２５を介してプーリ２８に伝わり、そのプーリ２８の回転でワイヤー２９が引っ張られて牽引バネ２３が伸びるから打球部材１７の打力が強くなる。
なお、可動調節部材２７による円板２６の回転は、図示しないセンサーによって検知され、その信号で前記電動打球装置１３が上記の要領で作動する。よって、遊技球は右手を支え棒３１に沿って動かしたときから連続して打ち出される。
【００２３】
一方、遊技球の打力が強すぎる場合は、握った手を支え棒３１に沿って初期位置の方向に戻すと、可動調節部材２７が牽引バネ２３で復動方向に付勢されているため親指に当たった状態で追随しつつ復動方向に回動する。したがって牽引バネ２３が縮んで打球部材１７の打力が弱まる。
【００２４】
そして、打球部材１７の打力が所望の強さに至ったところで手が滑らない程度に支え棒３１の握り具合を僅かに強めれば、可動調節部材２７がその位置で停止するため打球部材１７の打力をそのまま保つことができる。
【００２５】
以上のように可動調節部材２７は、その往復動作で電動打球装置１３の打力が変更されるように関連付けられている。
【００２６】
［実施形態２］
実施形態２のパチンコ機１は、図４に示したように可動調節部材２７の軌道を上下直線方向にしたものであり、これに合わせて支え棒３１も直線的になっている。なお、実施形態２の支え棒３１は、その上下端に図４において紙面と直交する奥行き方向に曲げた取付脚軸（図示せず）を有しており、したがって実施形態２の支え棒３１は側面視コ字状である。また、実施形態２の可動調節部材２７を上下直線方向に摺動可能としたことに対応すべく、可動調節部材２７にラックギヤ３２を形成し、一方、円板２６の外周に前記ラックギヤ３２に噛合する歯車３３を形成して可動調節部材２７の直線運動が円板２６の回転運動に変換されるようにしてある。
実施形態２のそれ以外の点については使用方法も含めて実施形態１と同じであるため、詳細な説明を省略する。
【００２７】
［実施形態３］
実施形態３のパチンコ機１は、図５、図６に示したように可動調節部材２７の軌道上に支え棒３１を配置した例を示したものである。具体的には、実施形態１のパイプ状の支え棒３１の内部に摺動自在に摺動子３４を組み込むと共にその摺動子３４に可動調節部材２７が突設されている。
【００２８】
また、実施形態３のパチンコ機１は、電動打球装置１３の動力部材１８が打球部材１７の揺動軸１９に直結したロータリーソレノイド３５で形成され、また、打力調節装置１４が該ロータリーソレノイド３５に印加するパルス状の電圧値をプーリ型調節摘み３６で変更可能な可変抵抗器３７で形成されている。
そして、前記摺動子３４とプーリ型調節摘み３６が、湾曲した連結金具３８と柔軟な連結紐３９を介して連結されており、摺動子３４が下に摺動すると連結金具３８と連結紐３９に引っ張られてプーリ型調節摘み３６が回転し、これによりロータリーソレノイド３５の電圧値が上がって打球部材１７の打力が増す。
また、プーリ型調節摘み３６は、可変抵抗器３７に内蔵された図示しないゼンマイに連結されていて、前記摺動子３４の摺動で回転しても初期位置に復動するように付勢されており、したがってこのプーリ型調節摘み３６に対して連結金具３８と連結紐３９でつながっている摺動子３４（可動調節部材２７）も前記ゼンマイにより復動方向に付勢される。
【００２９】
この実施形態３のパチンコ機１の打力操作方法も実施形態１，２と殆ど同じであって、図５の状態で遊技者が支え棒３１の上部を右手で軽く握り、その握った手を支え棒３１に沿って下方にスライドさせる。そうすると、握り方によって右手の親指又は小指に押されて可動調節部材２７が摺動子３４と共に図６のようにカーブしながら下方に移動し、その移動が連結金具３８と連結紐３９を介してプーリ型調節摘み３６に伝わってこれを回転させ、その回転でロータリーソレノイド３５の電圧値が上がって打球部材１７の打力が増す。
【００３０】
一方、遊技球の打力が強すぎる場合は、握った手を支え棒３１に沿って初期位置の方向に戻すと、可変抵抗器３７に内蔵されたゼンマイで付勢されているプーリ型調節摘み３６が連結紐３９を巻き戻す力を受けて、摺動子３４が可動調節部材２７と一体に上昇するため、可動調節部材２７が手の動きに追随して復動方向に移動すると共にロータリーソレノイド３５の電圧値が下がって打球部材１７の打力が弱まる。
【００３１】
そして、打球部材１７の打力が所望の強さになったところで手が滑らない程度に支え棒３１の握りを僅かに強めれば、可動調節部材２７がその位置で停止して打球部材１７の打力がそのまま保たれる。
【００３２】
以上、本発明を実施形態１〜３について説明したが、もちろん本発明は上記実施形態に限定されるものではない。例えば、実施形態１，２の電動打球装置１３と打力調節装置１４を実施形態３に適用してもよく、また、実施形態３の電動打球装置１３と打力調節装置１４を実施形態１，２に適用してもよい。
また、実施形態１〜３は、右手を上から下に動かす向きになるように支え棒３１や可動調節部材２７等を設定したが、例えば右手を左から右に動かす向きになるように支え棒３１等を設定してもよい。
【符号の説明】
【００３３】
１  …パチンコ機（弾球遊技機）
３  …前枠（支持部材）
７  …前面装飾部材（支持部材）
１０  …遊技領域
１１ｓ  …発射位置
１３  …電動打球装置
１４  …打力調節装置
１７  …打球部材
１８  …動力部材
２４  …基台（支持部材）
２７  …可動調節部材
３１  …支え棒
【図１】
0005960425.tif 000002
【図２】
0005960425.tif 000003
【図３】
0005960425.tif 000004
【図４】
0005960425.tif 000005
【図５】
0005960425.tif 000006
【図６】
0005960425.tif 000007